(57)【特許請求の範囲】
【請求項１】
画像データの送信先として特定する第１の信号の表示装置への送信を行う送信先特定部と、
前記表示装置が前記第１の信号を受信した際に送信した第２の信号の受信および前記表示装置に画像単位で画像データを送信する端末通信部と、
前記第２の信号を受信した順序に従って、前記表示装置に画像単位で前記画像データを送信するように制御する制御部と、
を有し、
前記表示装置は、
前記画像データを受信する画像データ受信部と、
受信した前記画像データを表示する表示部と、
前記第１の信号を受信して、前記第１の信号の受信を前記画像データ受信部に通知する特定信号受信部と、
を備え、
前記第１の信号は電磁波であり、
前記特定信号受信部は、前記第１の信号を所定の値以上の強度で受信した時に前記第１の信号の受信を前記画像データ受信部に通知し、
前記画像データ受信部は、前記特定信号受信部から前記第１の信号の受信が通知されると、前記第２の信号を前記端末通信部に送信し、
前記制御部は、
前記第２の信号を受信した時に、前記端末通信部が第１の画像データを所定の表示装置に送信中であり、且つ前記第２の信号を送信した前記表示装置が前記所定の表示装置と一致する場合には、前記第１の画像データの送信を中止し、前記第１の画像データと異なる第２の画像データを前記所定の表示装置に送信するように制御することを特徴とする情報処理装置。
【請求項２】
画像データの送信先として特定する第１の信号の表示装置への送信を行う送信先特定部と、
前記表示装置が前記第１の信号を受信した際に送信した第２の信号の受信および前記表示装置に画像単位で画像データを送信する端末通信部と、
前記第２の信号を受信した順序に従って、前記表示装置に画像単位で前記画像データを送信するように制御する制御部と、
を有し、
前記表示装置は、
前記画像データを受信する画像データ受信部と、
受信した前記画像データを表示する表示部と、
前記画像データ受信部が前記画像データを受信する時には前記画像データ受信部に電力を供給するように制御し、前記表示部を駆動する時には前記表示部に電力を供給するように制御する電源制御部と、
前記第１の信号を受信して、前記第１の信号の受信を前記画像データ受信部に通知する特定信号受信部と、
を備え、
前記第１の信号は電磁波であり、
前記特定信号受信部は、前記第１の信号を所定の値以上の強度で受信した時に前記第１の信号の受信を前記画像データ受信部に通知し、
前記画像データ受信部は、前記特定信号受信部から前記第１の信号の受信が通知されると、前記第２の信号を前記端末通信部に送信し、
前記制御部は、
前記第２の信号を受信した時に、前記端末通信部が第１の画像データを所定の表示装置に送信中であり、且つ前記第２の信号を送信した前記表示装置が前記所定の表示装置と一致する場合には、前記第１の画像データの送信を中止し、前記第１の画像データと異なる第２の画像データを前記所定の表示装置に送信するように制御することを特徴とする情報処理装置。
【請求項３】
画像データの送信先として特定する第１の信号の表示装置への送信を行う送信先特定部と、
前記表示装置が前記第１の信号を受信した際に送信した第２の信号の受信および前記表示装置に画像単位で画像データを送信する端末通信部と、
前記第２の信号を受信した順序に従って、前記表示装置に画像単位で前記画像データを送信するように制御する制御部と、
を有し、
前記表示装置は、
前記画像データを受信する画像データ受信部と、
受信した前記画像データを表示する表示部と、
前記第１の信号を受信して、前記第１の信号の受信を前記画像データ受信部に通知する特定信号受信部と、
を備え、
前記表示部は、前記特定信号受信部が前記第１の信号を受信した時には、表示中の画像を直ちに消去し、
前記第１の信号は電磁波であり、
前記特定信号受信部は、前記第１の信号を所定の値以上の強度で受信した時に前記第１の信号の受信を前記画像データ受信部に通知し、
前記画像データ受信部は、前記特定信号受信部から前記第１の信号の受信が通知されると、前記第２の信号を前記端末通信部に送信し、
前記制御部は、
前記第２の信号を受信した時に、前記端末通信部が第１の画像データを所定の表示装置に送信中であり、且つ前記第２の信号を送信した前記表示装置が前記所定の表示装置と一致する場合には、前記第１の画像データの送信を中止し、前記第１の画像データと異なる第２の画像データを前記所定の表示装置に送信するように制御することを特徴とする情報処理装置。
【請求項４】
情報処理装置は、画像データの送信先として特定する第１の信号を表示装置へ送信し、前記第１の信号は電磁波であり、
前記表示装置は、前記第１の信号を所定の値以上の強度で受信した時に、第２の信号を前記情報処理装置に送信し、
前記情報処理装置は、前記表示装置から送信された前記第２の信号を受信し、
前記第２の信号を受信した順序に従って前記表示装置に画像単位で前記画像データを送信し、
前記表示装置への前記画像データの送信は、
前記第２の信号を受信した時に、第１の画像データを所定の表示装置に送信中であり、且つ前記第２の信号を送信した前記表示装置が前記所定の表示装置と一致する場合には、前記第１の画像データの送信を中止し、前記第１の画像データと異なる第２の画像データを前記所定の表示装置に送信することを特徴とする情報処理方法。
【発明の詳細な説明】
【技術分野】
【０００１】
本発明は、情報処理装置および端末に関する。
【背景技術】
【０００２】
携帯電話などの公衆回線を介した通信機能を有する携帯端末は、一般に表示画面が小さく、解像度が不十分である。そのため、公衆回線を介して入手した電子書籍などの静止画を閲覧するのには適していない。一方、公衆回線を介して電子書籍を入手し、入手した電子書籍の静止画を比較的大きな画面に表示する電子書籍端末が実用化されている。電子書籍端末は、公衆回線を介して電子書籍を入手するための通信機能を有しており、それが無線通信機能であれば、携帯電話と同じ通信機能を有する。
【０００３】
そこで、携帯端末（電話）本体と、携帯端末本体とは別個体の大きな表示画面を有する表示機器を組合せ、近距離用通信方式を使用して携帯端末本体から表示機器に画像データを送信し、表示機器の大きな表示画面に静止画を表示する情報処理装置（閲覧システム）が提案されている。表示機器の表示画面は、例えば電子書籍端末に使用される、メモリ性を有する低消費電力の電子ペーパーで構成される。携帯端末をこのような形態で利用することにより、電子書籍を閲覧する情報処理装置が実現できる。
【０００４】
電子ペーパーは、低消費電力であるが、表示の書換え時間が長いため、書籍などのように複数ページから構成された冊子形式のものを表示し、ページを捲るように表示することはできない。そこで、複数の表示機器を組合せ、複数の表示機器に複数のページを同時に表示して、複数のページを同時に閲覧可能にすることが考えられている。
【０００５】
閲覧を容易にするため、表示機器（画面）数を増やすことや、そのときの接続の容易性を考えた場合、形態端末と表示機器との間の通信方式は無線のものが有効であるが、その場合、複数ある表示機器のいずれを画像データの送信先とするかを識別する必要がある。送信先の識別に関して、例えば、送信先識別用と、データ通信用との２種類の通信方式を組み合わせる方法が提案されている。
【０００６】
携帯電話のようなリソースの乏しい携帯端末では、複数の表示機器に対して同時に無線接続し、並列でデータを送信することは困難であり、スループットの低下は避けられない。そのため、複数の表示機器の１つと携帯端末とを１対１で無線接続し、表示する画像ごとに表示機器との接続を切り替える必要がある。
【０００７】
以上のような理由で、上記の情報処理装置で、静止画である冊子データを閲覧する場合、表示機器を特定する動作の後、画像データを無線により送信し、画像データを電子ペーパーに表示する動作を、見るページ数だけユーザが複数回繰り返す必要があった。
【０００８】
電子ペーパーは表示にメモリ性があるが、書き換えに時間がかかるため、電子ペーパー全体を書き換え終わるのにかかる時間（８秒前後）を考慮すると、上記のようなユーザの作業は時間のかかるものとなってしまう。また、電子ペーパーの表示解像度に合わせたページ画像はデータサイズも大きく、例えば無線方式としてBluetooth（登録商標）TMを用いた場合には送信に数秒程度（５秒前後）かかる場合もある。
【０００９】
このため見たいページの数だけ作業を繰り返す必要があるのに、１ページごとに長い処理時間を待たされることは不便である。
【００１０】
また、表示にメモリ性のある電子ペーパーを用いた表示画面は、描画（書換え）時以外は電力供給が不要であるため、表示機器に含まれるバッファメモリや電子ペーパー駆動回路、無線通信回路などへの電力供給も、描画にかかわる処理の実行時以外は行わないようにすることが望ましい。
【先行技術文献】
【特許文献】
【００１１】
【特許文献１】特許第３８９４５４６号
【特許文献２】特開２００２−１６３２５７号公報
【特許文献３】特開２００２−６３６５２号公報
【特許文献４】特開２００８−２６８５６６号公報
【特許文献５】特開２００９−２０９０３号公報
【特許文献６】特開２００９−５３１８８８号公報
【特許文献７】特開２００７−２８６７８０号公報
【特許文献８】特開２００４−１６６２１９号公報
【発明の概要】
【発明が解決しようとする課題】
【００１２】
携帯端末と複数の表示機器を無線接続した情報処理装置（閲覧システム）では、冊子データの見たいページを複数の表示機器に表示する作業を、短時間に且つ容易に行えることが望まれていた。
【課題を解決するための手段】
【００１３】
発明の一観点によれば、画像データの送信先として特定する第１の信号の表示装置への送信を行う送信先特定部と、表示装置が第１の信号を受信した際に送信した第２の信号の受信および表示装置に画像単位で画像データを送信する端末通信部と、第２の信号を受信した順序に従って、表示装置に画像単位で画像データを送信するように制御する制御部と、を有し、制御部は、第２の信号を受信した時に、端末通信部が第１の画像データを所定の表示装置に送信中であり、且つ第２の信号を送信した表示装置が所定の表示装置と一致する場合には、第１の画像データの送信を中止し、第１の画像データと異なる第２の画像データを所定の表示装置に送信するように制御する情報処理装置が提供される。
【００１４】
発明の別の一観点によれば、画像データの送信先として特定する第１の信号を表示装置へ送信し、第１の信号を受信した表示装置から送信された第２の信号を受信し、第２の信号を受信した順序に従って表示装置に画像単位で画像データを送信し、表示装置への画像データの送信は、第２の信号を受信した時に、送信部が第１の画像データを所定の表示装置に送信中であり、且つ第２の信号を送信した表示装置が所定の表示装置と一致する場合には、第１の画像データの送信を中止し、第１の画像データと異なる第２の画像データを所定の表示装置に送信する情報処理方法が提供される。
【発明の効果】
【００１５】
上記の観点によれば、複数の表示機器が接続される情報処理装置で、冊子データの任意ページを各表示機器に表示させる操作において、１画面ずつ確認しながら表示させるのに比べ、先行入力することで操作時間を短縮することが可能となる。
【００１６】
さらに、表示機器の特定信号受信部での第２の通信方式の待ち受けを、無電力方式にすることで、通信時と描画時以外は電力消費を無くすことができる。
【図面の簡単な説明】
【００１７】
【図１】図１は、実施例の情報処理装置（閲覧システム）の構成を示す図である。
【図２】図２は、スケジューリング部が使用するページ情報記憶位置情報テーブルの構成を示す図である。
【図３】図３は、「ページ画像データの送信先」リストの構成を示す図である。
【図４】図４は、実施例の第２表示画面として使用するコレステリック液晶表示装置の構成を示す図である。
【図５】図５は、特定信号受信部の構成を示す図である。
【図６】図６は実施例の情報処理装置における閲覧操作を説明する図である。
【図７】図７は、実施例の情報処理装置における表示例を示す図である。
【図８】図８は、実施例の情報処理装置における処理を示すフローチャートである。
【図９】図９は、実施例の情報処理装置における処理を示すフローチャートである。
【図１０】図１０は、実施例の情報処理装置における処理を示すフローチャートである。
【発明を実施するための形態】
【００１８】
以下、本発明の実施形態について、図面を参照して具体的に説明する。
【実施例１】
【００１９】
実施例について、図１から図１１を参照して説明する。
【００２０】
図１は、実施例の情報処理装置（閲覧システム）の構成を示す図である。
【００２１】
実施例の情報処理装置は、携帯電話などの端末１０と、複数の表示機器３０Ａ〜３０Ｄと、を有する。図１では４個の表示機器３０Ａ〜３０Ｄを有する情報処理装置を示しているが、表示機器の個数は、２、３、または５以上でもよい。
【００２２】
端末１０は、第１表示画面１１と、第１画面表示部１２と、冊子データ記憶部１３と、冊子データ選択部１４と、ページ画像生成部１５と、端末通信部１６と、送信先特定部１７と、スケジューリング部１８と、公衆回線通信部１９と、を有する。
【００２３】
また、表示機器３０Ａ〜３０Ｄは、同じ構成を有し、それぞれ、第２表示画面３１と、第２画面表示部３２と、表示機器通信部３５と、特定信号受信部３６と、電源制御部３７と、を有する。第２画面表示部３２は、表示駆動部３３と、ページ画像受信バッファ３４と、を有する。
【００２４】
冊子データ記憶部１３は、複数ページから構成される冊子データを記憶する。ここで、１ページは第２表示画面３１の１画面内に表示することができる情報であって、冊子データはページが複数で構成された１つのまとまりと定義されるデータであり、一例としてはＰＤＦファイルがある。冊子データ記憶部１３は、このような冊子データを１つ以上記憶できるメモリを有する。冊子データ記憶部１３に記憶される冊子データは、例えば公衆回線通信部１９により、電子書籍のソースから供給される。
【００２５】
第１表示画面１１は、比較的小型で低解像度の画面であり、電子書籍などを閲覧するには適さない画面である。第１画面表示部１２は、冊子データ記憶部１３に記憶されている１つ以上の冊子データの一覧を、第１表示画面１１に表示する。表示する一覧は、書名、著者名、ファイル名などの冊子データを識別する情報を含み、第１表示画面１１に表示できる情報であればよい。また、第１表示画面１１に一覧が表示される冊子データは、冊子データ記憶部１３に記憶されている冊子データに限定されず、公衆回線通信部１９を介して入手可能な冊子データであってもよい。この場合、一覧で表示される冊子データに関する情報は、公衆回線通信部１９を介して入手するなどして、冊子データ記憶部１３に記憶した上で、第１表示画面１１に表示される。もし、冊子データ自体は冊子データ記憶部１３に記憶されていない冊子データが選択された場合には、公衆回線通信部１９を介して冊子データを入手して冊子データ記憶部１３に記憶した上で、表示機器へのページ画像データの送信を行う。
【００２６】
冊子データ選択部１４は、ユーザが、冊子データの一覧が表示されている第１表示画面１１を見ながら、冊子データのうちの１つを閲覧する冊子データとして選択するユーザインターフェースである。このユーザインターフェースは、端末１０の操作部、第１表示画面１１、第１画面表示部１２などを制御するソフトウエアを含み、たとえば冊子データがリスト形式で画面に表示されたものを、端末１０のキーを押す操作によって選択する。選択された冊子データの画像は、表示機器３０Ａ〜３０Ｄで表示される。
【００２７】
ページ画像生成部１５は、選択された冊子データを、ページ単位で画像化してページ画像データを生成する。ページ画像データは、１ページにつき１枚の静止画を表し、この静止画の画像サイズは、表示機器３０Ａ〜３０Ｄの第２表示画面３１で表示するように、第２表示画面３１の画面解像度に合わせたものであることが望ましい。
【００２８】
端末通信部１６は、第１の通信方式により、ページ画像生成部１５が生成したページ画像データを、ページ単位で表示機器３０Ａ〜３０Ｄのいずれかの表示機器通信部３５に送信する。第１の通信方式は、端末１０と表示機器３０Ａ〜３０Ｄの位置関係にかかわらず静止画データを送信可能にするため、Bluetooth（登録商標）などの指向性のない無線による通信方式が望ましい。
【００２９】
送信先特定部１７は、第２の通信方式により、第１の通信方式でページ画像データを送信する相手である表示機器を特定するための第１の信号を出力する。第１の通信方式により端末通信部１６から表示機器通信部３５へページ画像データを通信中であるか、表示機器通信部３５への電源供給がされていない場合にでも、端末１０と表示機器３０Ａ〜３０Ｄの関連付けをするため、第２の通信方式でも通信可能にしている。第２の通信方式は、ページ画像データの送信先を特定することができればどのような通信方式でもよい。本実施例では、携帯電話などの端末１０と表示機器３０Ａ〜３０Ｄの位置関係を近づけるという行為によって表示画面を特定するため、指向性のある無線での通信方式が望ましいので、高周波識別（ＲＦＩＤ）に基づくニアフィールド通信（ＮＦＣ）方式を使用する。送信先特定部１７は、アンテナから電磁波を出力する。特定信号受信部３６は、この電磁波に同調するアンテナを有し、端末１０と表示機器３０Ａ〜３０Ｄの距離が所定範囲内になると、特定信号受信部３６が受信する電磁波の強度が所定値以上になり、トリガを発生する。トリガを発生した特定信号受信部３６が設けられた表示機器は、トリガに応じて表示機器通信部３５から送信先であることを示す第２の信号を出力する。以下、第２の信号を確認信号と称する。端末通信部１６は、この確認信号を受信して送信先の表示機器を特定し、特定処理を発生する。
【００３０】
スケジューリング部１８は、端末１０の各部の制御を行う制御部の一部として実現され、特定処理の発生順にしたがって、端末通信部１６でページ画像データを送信するようにスケジューリングする。
【００３１】
図２は、スケジューリング部１８が使用するページ情報記憶位置情報テーブルの構成を示す図である。冊子データはページが複数で構成され１つのまとまりと定義しているため、ページの前後関係が存在する。そこで、ページｉ（ｉ＝１からＮ、Ｎ＝ページ数）の情報がメモリのどの位置（アドレス）に記憶されているかを、このテーブルで管理する。
【００３２】
端末１０と表示機器３０Ａ〜３０Ｄのいずれかとの距離を小さくするたびに、自動的にページ切り替え（ページ送り）を行うことで、連続したページをそれぞれの表示機器に表示する。スケジューリング部１８は、処理対象となるページ番号を１ずつ増加させる。
【００３３】
スケジューリング部１８は、送信先特定部１７が第２の通信方式によりページ画像データの送信先を特定すると、「ページ画像データの送信先」リストに相手の表示機器を記録する。
【００３４】
図３は、「ページ画像データの送信先」リストの構成を示す図である。第１の通信方式により端末通信部１６から表示機器通信部３５へのＮページ目のページ画像データの送信が終了すれば、記録した相手の表示機器を記録から消す。ページ画像データの送信が終了する前に、新たな表示機器を特定する特定処理が発生すると、「ページ画像の転送先」リストの記録が増えていくことになるが、時間的に先に記録された「ページ画像の転送先」から順にページ画像データの送信処理を消化してゆく。
【００３５】
さらに、スケジューリング部１８は、特定処理が発生した時に、端末通信部１６から表示機器通信部３５へのページ画像データの送信中であるか判定し、送信中であれば、さらに特定した相手がページ画像データの送信中の相手であるか判定する。送信相手の特定が、端末１０と表示機器の位置関係を近づけるという操作により行われるため、２回目以降の相手先の特定処理は、いずれかの表示機器にページ画像データを送信している途中で発生する可能性がある。そして、新たな送信先が、ページ画像データを送信中の表示機器と同じ場合もあり得る。ページ画像データを送信中の表示機器と新たな送信先の表示機器が同じということは、描画（表示書換え）が終了していない表示機器に携帯電話を近づけたということである。本実施例では、このような操作は、ユーザからのキャンセル指示と判定し、実行中のページ画像データの送信処理や描画処理は中止する。描画処理の中止とは、第２表示画面３１の画素への電圧印加処理を停止することである。
【００３６】
公衆回線通信部１９は、通常の電話回線、携帯電話回線などを介して通信を行う。なお、公衆回線通信部１９は、公衆回線ではないが、ＬＡＮなどを介して通信を行ってもよい。
【００３７】
第２表示画面３１は、第１表示画面１１に比べて高解像度の表示装置で、大きなサイズを有する。本実施例では、第２表示画面３１は、電子ペーパーと呼ばれるメモリ性を有する表示装置で、表示の書換え（描画）時には電力を消費するが、描画後は電力を供給せずに長時間表示を維持できるが、１画面の描画には５〜８秒程度を要する。なお、画面の表示を消去することも可能で、消去は短時間に行える。本実施例では、反射中心波長の異なる青、緑および赤の３枚のコレステリック液晶パネルを積層したカラー表示素子を、第２表示画面３１として使用する。しかし、このような表示素子に限定されるものではなく、モノクロ表示素子も、他の表示素子も使用可能である。
【００３８】
図４は、本実施例の第２表示画面３１として使用するコレステリック液晶表示装置の構成を示す図である。コレステリック液晶表示装置は、電源５１と、昇圧部５２と、電圧切替部５３と、電圧安定部５４と、クロック原５５と、分周部５６と、制御回路５７と、メモリ５８と、コモンドライバ６１と、セグメントドライバ６２と、青、緑および赤の３枚のコレステリック液晶パネル６３Ｂ、６３Ｇ、６３Ｒと、を有する。
【００３９】
コレステリック液晶パネル６３Ｂ、６３Ｇ、６３Ｒは、例えばＡ４判ＸＧＡ仕様で、１０２４×７６８画素を有する。電源５１は、例えば３Ｖ〜５Ｖの電圧を出力する。昇圧部５２は、ＤＣ−ＤＣコンバータなどのレギュレータにより、電源５１からの入力電圧を３６Ｖ〜４０Ｖに昇圧する。電圧切替部５３は、抵抗分割などにより各種の電圧を生成する。電圧安定部５４は、電圧切替部５３から供給される各種の電圧を安定化させる。原振クロック部５５は、動作の基本となる基本クロックを発生する。分周部５６は、基本クロックを分周して、後述する動作に必要な各種クロックを生成する。制御回路５７は、基本クロック、各種クロックおよびメモリ５８に記憶されたページ画像データに基づいて制御信号を生成して、コモンドライバ６１およびセグメントドライバ６２に供給する。
【００４０】
コモンドライバ６１は７６８本のスキャンラインを駆動し、セグメントドライバ６２は１０２４本のデータラインを駆動する。ＲＧＢの各画素に与える画像データが異なるため、セグメントドライバ６２は各データラインを独立して駆動する。コモンドライバ６１は、ＲＧＢのラインを共通に駆動する。
【００４１】
コレステリック液晶表示装置は、広く知られているので、これ以上の説明は省略する。
【００４２】
第２画面表示部３２の表示駆動部３３は、図４のコレステリック液晶表示装置においてメモリ５８およびコレステリック液晶パネル６３Ｂ、６３Ｇ、６３Ｒを除いた部分に対応する。ページ画像受信バッファ３４は、図４のメモリ５８に対応し、表示機器通信部３５で受信したページ画像データを一時的に記憶する。表示駆動部３３は、ページ画像受信バッファ３４（メモリ５８）に記憶されたページ画像データに対応する画像を第２表示画面３１に描画する。
【００４３】
表示機器通信部３５は、端末通信部１６から第１の通信方式により送信されるページ画像データを受信して、ページ画像受信バッファ３４に記憶する。したがって、表示機器通信部３５は、画像データ受信部として機能する。
【００４４】
特定信号受信部３６は、端末１０の送信先特定部１７が第２の通信方式により出力する第１の信号に受信して、受信強度が大きい場合、すなわち端末１０と表示機器を近づけた場合に、トリガを発生する。
【００４５】
図５は、特定信号受信部３６の構成を示す図であり、（Ａ）は回路構成を、（Ｂ）は表示機器における配置を示す。
【００４６】
図５の（Ａ）に示すように、特定信号受信部３６は、アンテナ７１と、トランジスタＴｒおよび抵抗からなる回路を有する。アンテナ７１は、渦巻き状の銅線パターンであり、送信先特定部１７が出力する電磁波に同調して電圧信号を発生する。アンテナ７１の一方の端はグランドＧＮＤに接続され、他方の端はトランジスタＴｒのベースに接続されている。アンテナ７１の受信する電磁波の強度が小さい時には、ベースの電位はＧＮＤ付近であり、Ｔｒはオフ状態で、トリガはＨｉｇｈである。
【００４７】
端末１０の送信先特定部１７と特定信号受信部３６の間の距離が小さくなると、アンテナ７１の受信する電磁波の強度が大きくなり、発生する電圧信号の電圧が増加し、Ｔｒがオン状態にあり、トリガはＬｏｗに変化する。これによりトリガが発生する。表示機器通信部３５は、トリガに応じて、送信先を示す確認信号を端末通信部１６に送信する。以上のように、端末１０と表示機器３０Ａ〜３０Ｄの距離を小さくするように近づけるという行為によって送信先を特定できる。
【００４８】
特定信号受信部３６のアンテナ７１は、図５の（Ｂ）に示すように、第２表示画面３１の裏面の中央部Ａに設けてもよい。これにより、アンテナ７１の面積を大きくできる。
【００４９】
表示機器３０Ａ〜３０Ｄは、それぞれに設けられた独立した電源を有する。第２表示画面３１は、表示にメモリ性があるため、描画（書換え）駆動時以外は電力が不要である。また、表示機器通信部３５は、トリガを発生するまで、動作している必要はない。そこで、電源制御部３７は、第２画面表示部３２および表示機器通信部３５への電力供給を必要時のみ行えるよう、電気的スイッチを有し、消費電力を抑制している。
【００５０】
また、前述のように、第２表示画面３１は画面の表示を短時間で消去することが可能である。第２画面表示部３２は、表示機器を端末１０に近づけた結果、トリガが発生したかどうかをユーザに即座に知らせる動作として、即座に表示を消す動作を利用する。もともと何も表示されていなくても、消去手段の動作を実行すると、電圧のかかる瞬間、画面が暗くなるという変化が起こるため、トリガが発生したことを知らせる動作になり得る。
【００５１】
図６は実施例の情報処理装置における閲覧操作を説明する図である。
【００５２】
ユーザは、端末１０の操作部２２Ａおよび２２Ｂなどを操作して、閲覧可能な冊子データの一覧を第１表示画面１１に表示する。一覧を表示する冊子データは、冊子データ記憶部１３に記憶されている冊子データだけでなく、例えば公衆回線通信部１９により、電子書籍のソースから供給される冊子データでもよい。表示する一覧は、書名、著者名、ファイル名などの冊子データを識別する情報を含む。ユーザは、第１表示画面１１に表示された冊子データの一覧を見ながら、操作部２２Ａおよび２２Ｂを操作して、閲覧したい冊子データを選択する。選択した冊子データのページ数が、表示機器３０Ａ〜３０Ｂの個数（ここでは４）以内であれば、端末１０を表示機器３０Ａ〜３０Ｂに順に近づけるか、逆に表示機器３０Ａ〜３０Ｂを端末１０に順に近づける。これにより、表示機器の個数分のページ数を表示する表示機器を指定する作業が行える。これを先行入力による一括指定と呼ぶこととする。
【００５３】
冊子データのページは、近づける表示機器３０Ａ〜３０Ｂの順番にしたがって、表示機器３０Ａ〜３０Ｂにそれぞれページ順に表示される。もし、冊子データのページ数が、表示機器３０Ａ〜３０Ｂの個数より大きければ、閲覧が終了したページを表示している表示機器と端末１０を近づける。
【００５４】
実施例の情報処理装置は、ページ画像データの送信に要する時間や第２表示画面３１の描画（書換え）時間が長いが、最初のページの描画が行われた後は、ユーザが最初のページを閲覧している間に、２頁以降のページは自動で行われるため、ユーザを待たせることがない。
【００５５】
実施例の情報処理装置では、ユーザは、表示機器３０Ａ〜３０Ｄに携帯電話を近づけるという作業により、ページを表示する表示機器およびページ順を設定する。これに要する時間は、１秒以下である。この特定処理をトリガとして、端末１０からいずれかの表示機器にページ画像データを送信し、その画像の描画を行うが、この動作は自動で処理されるため、ユーザは表示機器に対する送信処理や描画処理中に、別の表示機器に対して端末１０を近づける作業を行うことが可能である。
【００５６】
例えば、表示機器３０Ａに対するページ画像データの送信処理が終われば、直ちに次のページのページ画像データを表示機器３０Ｂに送信し、以下さらに次のページのページ画像データを表示機器３０Ｃに送信する。ページ画像データを受信した表示機器は、直ちに描画処理を行う。
【００５７】
図７は、実施例の情報処理装置における表示例を示す図である。閲覧する冊子データを選択すると、端末１０の第１表示画面１１には、選択した冊子データのページが表示される。前述のように、第１表示画面１１は、十分な解像度を有さないので、冊子データのページを見るには適していない。図７では、冊子データの１ページ目から３ページ目までを表示機器３０Ａ〜３０Ｃに表示した場合を示している。
【００５８】
また、ページ画像データ送信完了までの間に、端末１０と同じ表示機器を連続して近づけることで、先の描画指定をスキップさせる。これにより不連続なページでも先行入力による一括指定が可能となる。
【００５９】
さらに、表示機器に端末１０を近づけたときに、送信先の特定が完了したか確認するのが難しいという場合が考えられる。そこで、特定信号受信部３６がトリガを発生すれば、その表示機器の第２表示画面３１の表示を消去することで、ユーザにトリガがかかったことを知らせる。
【００６０】
図８から図１０は、実施例の情報処理装置における処理を示すフローチャートである。
【００６１】
Ｓ１１では、電力制御部３７は、表示機器通信部３５および第２画面表示部３２への電力供給を停止する。
【００６２】
Ｓ１２では、第１画面表示部１２は、冊子データ記憶部１３に記憶されている冊子データの一覧を読み出して第１表示画面１１に表示する。なお、前述のように、冊子データ記憶部１３に記憶されている冊子データ以外の公衆回線を介して入手可能な冊子データを表示するようにしてもよい。
【００６３】
Ｓ１３では、操作部２２Ａおよび２２Ｂは、ユーザによる冊子データの一覧のうちの一冊を選択する操作を受け付けたかを判定し、受けていなければ待機し、受けたらＳ１４に進む。
【００６４】
Ｓ１４では、第１画面表示部１２は、Ｓ１３で選択された冊子データの表紙に相当する画像データを冊子データから生成し、第１表示画面１１に表示する。これにより、ユーザは選択した冊子データを確認できる。
【００６５】
Ｓ１５では、端末１０の画像生成および送信を制御する部分が、選択した冊子の処理対象ページをＸと置き、選択直後はＸ＝１ページ目と設定する。
【００６６】
Ｓ１６では、送信先特定部１７は、パルス電磁場の出力を開始する。
【００６７】
Ｓ１７では、特定信号受信部３６は、送信先特定部１７から出力されているパルス電磁場の出力を感知したら、トリガを発生してＳ１８に進み、トリガが発生しなければ発生するまで待機する。
【００６８】
Ｓ１８では、トリガを発生した特定信号受信部３６の設けられた表示機器において、電源制御部３７は、第２画面表示部３２に対して、電力供給を開始する。
【００６９】
Ｓ１９では、第２画面表示部３２は、第２表示画面３１の表示画像を消去する。
【００７０】
Ｓ２０では、電源制御部３７は、第２画面表示部３２に対して、電力供給を停止する。
【００７１】
Ｓ２１では、電源制御部３７は、表示機器通信部３５に対して、電力供給を開始する。
【００７２】
Ｓ２２では、表示機器の表示機器通信部３５は、第１の通信方式を用いた通信を開始し、接続の手順を行う。端末１０側は、これによりどの表示機器からの通信かを検出して、送信先を特定する特定処理を発生する。
【００７３】
Ｓ２３では、図３に示した待ち行列テーブルの最後尾に特定した通信先を追加する。待ち行列が空であれば、最後尾＝先頭となる。
【００７４】
Ｓ２４では、特定処理が、すでに同じ相手とページ画像データを送信している最中に割り込んで行われたものであった場合Ｓ２５へ進み、そうでなければＳ３１へ進む。
【００７５】
Ｓ２５では、端末通信部１６は、実行中のページ画像データの送信を中止し、通信の接続を切断する。
【００７６】
Ｓ２６では、ページ画像データの送信は終了したとみなし、待ち行列の先頭にあった対応するキューを削除する。
【００７７】
Ｓ２７では、第２画面表示部３２は、送信中であったページ画像データに基づいて、第２表示画面３１への描画が行われていたかを判定し、行われていた場合にはＳ２８へ進み、行われていなければＳ４１に進む。
【００７８】
Ｓ２８では、第２画面表示部３２は、第２表示画面３１への電圧印加を止め、描画を中断する。
【００７９】
Ｓ３１では、新規の特定処理が、他の表示機器へのページ画像データの送信中に発生したかを判定し、他の表示機器に送信中であればＳ３２に進み、他の表示機器に送信中でなければＳ４３に進む。
【００８０】
Ｓ３２では、新規の特定処理の相手である表示機器の表示機器通信部３５と端末通信部１６の間の第１の通信方式での通信を切断し、Ｓ４１に進む。
【００８１】
Ｓ４１では、スケジューリング１８は、待ち行列テーブルを用いたスケジューリングにおいて、送信の順番が来たかを判定し、順番が来るまで待機する。
【００８２】
Ｓ４２では、順番の来た表示機器の表示機器通信部３５と端末通信部１６の間で、ページ画像データの送信を行うため通信を開始し、接続手順を行う。
【００８３】
Ｓ４３では、ページ画像生成部１５は、冊子データの処理対象ページＸを画像化し、ページＸのページ画像データを生成する。
【００８４】
Ｓ４４では、端末通信部１６が、生成されたページＸのページ画像を第１の通信方式で表示機器の表示機器通信部３５に送信する。
【００８５】
Ｓ４５では、表示機器通信部３５は、受信したページ画像データを、第２画面表示部３２のページ画像受信バッファ３４に記憶する。
【００８６】
Ｓ５１では、端末通信部１６から表示機器通信部３５へのページ画像データの送信が終了したかを判定し、終了していればＳ５２に進み、終了していなければＳ６１に進む。
【００８７】
Ｓ５２では、第２画面表示部３２の表示駆動部３３に対して、電力供給を開始する。
【００８８】
Ｓ５３では、第２画面表示部３２の表示駆動部３３は、ページ画像受信バッファ３４に記憶されたページ画像データを、第２表示画面３１へ描画する。
【００８９】
Ｓ５４では、描画が終了したかを判定し、終了していればＳ５６に進み、終了していなければＳ５５に進む。
【００９０】
Ｓ５５では、特定信号受信部３６が、送信先特定部１７からの第２の通信方式による電磁波を検出して、トリガを発生したかを判定し、トリガの発生がなければＳ５４に戻り、トリガの発生があれば描画を中段すべきと判定してＳ５６に進む。
【００９１】
Ｓ５６では、第２画面表示部３２の表示駆動部３３に対して、電力供給を停止する。
【００９２】
Ｓ６１では、特定信号受信部３６が、送信先特定部１７からの第２の通信方式による電磁波を検出して、トリガを発生したかを判定し、トリガの発生がなければＳ５１に戻り、トリガの発生があれば送信を中段すべきと判定してＳ７１に進む。
【００９３】
Ｓ７１では、表示機器の表示機器通信部３５の端末通信部１６との通信を切断する手順を行う。
【００９４】
Ｓ７２では、表示機器の表示機器通信部３５に対して、電力供給を停止する。
【００９５】
Ｓ７３では、スケジューリング部１８は、第１の通信方式での通信を切断した表示機器に関する待ち行列テーブル内のキュー（先頭のキュー）を削除する。
【００９６】
Ｓ７４では、この冊子データの処理対象ページＸを１増やすことで、処理対象ページのページ送りを行う。
【００９７】
Ｓ７５では、ページ送り操作の結果、冊子データの最終ページを超えたページが処理対象になってしまった場合、すなわちすべてのページの処理が終了したかを判定し、終了していなければＳ１７に戻り、終了していればＳ７６に進む。
【００９８】
Ｓ７６では、端末１０の送信先特定部１７からのパルス電磁場出力を停止する。
【００９９】
以上、実施例の情報処理装置を説明したが、各種の変形例が可能であるのはいうまでもない。例えば、予期せぬ処理の途中終了によって表示機器側が待ち行列テーブルで自分の順番を待ち続けることになる状況が考えられるが、そのような場合には、待ち時間を制限したタイムアウト処理や、ユーザによるキャンセルなどの処理を追加することが対処できる。
【０１００】
以上、実施形態を説明したが、ここに記載したすべての例や条件は、発明および技術に適用する発明の概念の理解を助ける目的で記載されたものであり、特に記載された例や条件は発明の範囲を制限することを意図するものではなく、明細書のそのような例の構成は発明の利点および欠点を示すものではない。発明の実施形態を詳細に記載したが、各種の変更、置き換え、変形が発明の精神および範囲を逸脱することなく行えることが理解されるべきである。
【符号の説明】
【０１０１】
１０    端末
１１    第１表示画面
１２    第１画面表示部
１３    冊子データ記憶部
１４    冊子データ記憶部
１５    ページ画像生成部
１６    端末通信部
１７    送信先特定部
１８    スケジューリング部
３０Ａ〜３０Ｄ    表示機器
３１    第２表示画面
３２    第２画面表示部
３３    表示駆動部
３４    ページ画像受信バッファ
３５    表示機器通信部
３６    特定信号受信部
３７    電源制御部
【図１】
0005659582.tif 000002
【図２】
0005659582.tif 000003
【図３】
0005659582.tif 000004
【図４】
0005659582.tif 000005
【図５】
0005659582.tif 000006
【図６】
0005659582.tif 000007
【図７】
0005659582.tif 000008
【図８】
0005659582.tif 000009
【図９】
0005659582.tif 000010
【図１０】
0005659582.tif 000011